(57)【特許請求の範囲】
【請求項１】
中央居室ユニットの側傍に片流れ屋根付きの軒側居室が形成されるユニット建物において、
中央居室ユニットの側傍下部に高さの低い立面視略四角形の軒側居室ユニットを配置し、中央居室ユニットの側傍上部及び軒側居室ユニットの上に立面視略三角形で庇を有する片流れ屋根ユニットを配置してなることを特徴とするユニット建物。
【請求項２】
前記片流れ屋根ユニットのユニット高さを輸送制限巾寸法の範囲内にする請求項１に記載のユニット建物。
【請求項３】
前記中央居室ユニットにおける軒側居室ユニットの妻壁と同一面上に位置する妻壁内で、該軒側居室ユニットの妻壁高さと略同一高さレベルに水平力抵抗材を設けてなる請求項１又は２に記載のユニット建物。
【発明の詳細な説明】
【技術分野】
【０００１】
本発明はユニット建物に関する。
【背景技術】
【０００２】
ユニット建物として、特許文献１に記載の如く、中央居室ユニットの側傍に片流れ屋根付きの軒側居室を形成するに際し、中央居室ユニットの妻方向（短手方向）の側傍に屋根付き軒側居室ユニットを配置したものがある。特許文献１に記載のユニット建物では、屋根付き軒側居室ユニットの屋根面の下端位置に庇ユニット（軒先ユニット）を接続し、この庇ユニットにより軒側居室ユニットの桁壁面から突き出る庇を形成している。特許文献１に記載のユニット建物によれば、屋根付き軒側居室ユニットの庇を有しないユニット巾を道路交通法上の輸送制限寸法（トラックの荷台巾）まで拡大できる。
【０００３】
尚、特許文献２には、道路交通法上、大型の直角三角形状屋根ユニットの天井面をトラックの荷台に据え置いて輸送することができない場合、屋根ユニットの天井面をトラックの荷台上で垂直に立てて（換言すれば、屋根ユニットの天井面に直交する立上り面をトラックの荷台に据え置いて）輸送するものが記載されている。
【特許文献１】特開昭61-294045
【特許文献２】特開昭57-15770
【発明の開示】
【発明が解決しようとする課題】
【０００４】
特許文献１に記載のユニット建物では、屋根付き軒側居室ユニットが変則的な五角形（立面視）のユニットとなり生産性が悪い。また、屋根付き軒側居室ユニットの庇を有しないユニット巾を輸送制限寸法まで拡大できるものの、庇ユニットを別ユニットとして生産、輸送、現地接合するものであり、生産面、輸送面、構造面、防水面で不利である。
【０００５】
特許文献２に記載の屋根ユニットの輸送方法は、屋根ユニットの全体を輸送するものであり、これを軒側居室ユニットが一体となった屋根ユニットの輸送に適用しようとするときには、その屋根付き軒側居室ユニットの立上り面をトラックの荷台に据え置くものになり、屋根付き軒側居室ユニットの立上り面の高さが輸送制限寸法を超える場合には適用できない。
【０００６】
本発明の課題は、中央居室ユニットの側傍に片流れ屋根付きの軒側居室が形成されるユニット建物を構成する建物ユニットの生産性と輸送性を向上することにある。
【０００７】
本発明の他の課題は、中央居室ユニットの側傍に片流れ屋根付きの軒側居室が形成されるユニット建物を構成する建物ユニットの構造強度を向上することにある。
【課題を解決するための手段】
【０００８】
請求項１の発明は、中央居室ユニットの側傍に片流れ屋根付きの軒側居室が形成されるユニット建物において、中央居室ユニットの側傍下部に高さの低い立面視略四角形の軒側居室ユニットを配置し、中央居室ユニットの側傍上部及び軒側居室ユニットの上に立面視略三角形で庇を有する片流れ屋根ユニットを配置してなるようにしたものである。
【０００９】
請求項２の発明は、請求項１の発明において更に、前記片流れ屋根ユニットのユニット高さを輸送制限巾寸法の範囲内にするようにしたものである。
【００１０】
請求項３の発明は、請求項１又は２の発明において更に、前記中央居室ユニットにおける軒側居室ユニットの妻壁と同一面上に位置する妻壁内で、該軒側居室ユニットの妻壁高さと略同一高さレベルに水平力抵抗材を設けてなるようにしたものである。
【発明の効果】
【００１１】
（請求項１）
(a)中央居室ユニットの側傍に形成される片流れ屋根付きの軒側居室を、中央居室ユニットの側傍下部に配置される高さの低い立面視略四角形の軒側居室ユニットと、中央居室ユニットの側傍上部及び軒側居室ユニットの上に配置される立面視略三角形で庇を有する片流れ屋根ユニットにより構成する。従って、立面視五角形の如くの変則的なユニットが不要になり、生産性を向上できる。
【００１２】
(b)片流れ屋根ユニットが上述(a)の如くに庇を一体に備えるものとすることができるから、生産面、輸送面、構造面、防水面で有利になる。
【００１３】
（請求項２）
(c)片流れ屋根ユニットのユニット高さを輸送制限巾寸法の範囲内にしたから、片流れ屋根ユニットの庇を含むユニット巾が輸送制限巾寸法を超えるときにも、片流れ屋根ユニットの天井面に直交する立上り面に沿うユニット高さを低くし、この片流れ屋根ユニットの天井面に直交する立上り面をトラックの荷台に据え置いて輸送できる。
【００１４】
（請求項３）
(d)中央居室ユニットにおける軒側居室ユニットの妻壁と同一面上に位置する妻壁内で、該軒側居室ユニットの妻壁高さと略同一高さレベルに水平力抵抗材を設けた。従って、軒側居室ユニット及び片流れ屋根ユニットの境界部から中央居室ユニットへ作用する水平荷重を、この水平力抵抗材の軸力で支えることができる。
【発明を実施するための最良の形態】
【００１５】
図１はユニット建物の妻側面を示す正面図、図２はユニット建物のユニット分割を示す模式斜視図、図３は軒側居室ユニットと片流れ屋根ユニットの要部を示し、（Ａ）は図１のIIIＡ部を示す正面図、（Ｂ）は図１のIIIＢ部を示す正面図、（Ｃ）は（Ｂ）の側面図、図４は中央居室ユニットと軒側居室ユニットと片流れ屋根ユニットの要部を示し、（Ａ）は図１のIVＡ部を示す正面図、（Ｂ）は（Ａ）の平面図、図５はユニット建物の変形例を示す模式正面図である。
【実施例】
【００１６】
図１に示すユニット建物１は、工場生産された複数の建物ユニット１０と屋根ユニット２０をトラックにより建築現場に輸送し、基礎の上に１階の居室ユニット１０を配置し、１階の居室ユニット１０の上に２階の居室ユニット１０を配置し、２階の居室ユニット１０の上に屋根ユニット２０を配置して構築される。尚、ユニット建物１の平面視で、各ユニット１０、２０の短手方向を妻方向とし、長手方向を桁方向とする。
【００１７】
ユニット建物１は、２階部分の中央に中央居室ユニット１１を配置し、中央居室ユニット１１の上部に両流れ屋根ユニット２１を配置し、両流れ屋根付きの中央居室Ｌ１を形成する。また、ユニット建物１は、中央居室ユニット１１の妻方向の両側の側傍に片流れ屋根付きの軒側居室Ｌ２を形成するため、中央居室ユニット１１の両側の側傍下部に高さの低い軒側居室ユニット１２、１２を配置し、中央居室ユニット１１の両側の側傍上部及びそれら軒側居室ユニット１２の上に片流れ屋根ユニット２２、２２を配置している。
【００１８】
ユニット建物１は、例えば、１階部分で妻方向に３個、桁方向に２個の居室ユニット１０を配置し、２階部分で妻方向に３個、桁方向に２個の居室ユニット１０（中央居室ユニット１１、軒側居室ユニット１２）を配置し、屋根部分で妻方向に３個、桁方向に２個の屋根ユニット２０（両流れ屋根ユニット２１、片流れ屋根ユニット２２）を配置している。図２はユニット建物１のうち、桁方向の半部を図示し、桁方向の残りの半部を図示省略したものである。
【００１９】
中央居室ユニット１１は、図１、図２に示す如く、床パネル１１Ａの桁方向に沿う両側に柱１１Ｂ、天井梁１１Ｃを設け、建物外面側の柱１１Ｂ、１１Ｂ間に壁枠材１１Ｄ（妻壁１１Ｅ）を設けている。
【００２０】
軒側居室ユニット１２は、図１〜図４に示す如く、立面視略四角形をなし、床パネル１２Ａの桁方向に沿う両側に壁枠材１２Ｂ（妻壁１２Ｃ）を設け、床パネル１２Ａの妻方向に沿う建物外面側に壁枠材１２Ｄ（桁壁１２Ｅ）を設けている。
【００２１】
両流れ屋根ユニット２１は、図１、図２に示す如く、屋根梁２１Ａの桁方向に沿う両側に屋根トラス２１Ｂ（妻壁２１Ｃ）を設け、屋根梁２１Ａ及び屋根トラス２１Ｂの上に屋根パネル２１Ｄを設けている。
【００２２】
片流れ屋根ユニット２２は、図１〜図４に示す如く、立面視略三角形をなし、屋根梁２２Ａの桁方向に沿う両側に屋根トラス２２Ｂ（妻壁２２Ｃ）を設け、屋根梁２２Ａ及び屋根トラス２２Ｂの上に屋根パネル２２Ｄを設けている。屋根パネル２２Ｄの下端部は軒側居室ユニット１２の桁壁１２Ｅより建物外方へ張り出る庇２２Ｅを形成する。
【００２３】
ここで、中央居室ユニット１１は妻方向に沿うユニット巾Ｗ１を道路交通法上の輸送制限巾寸法Ｋ（トラックの荷台巾、例えば2500mm）の範囲内にし、ユニット高さＨ１を輸送制限巾寸法Ｋより大きくしている。また、軒側居室ユニット１２と片流れ屋根ユニット２２のユニット高さＨ２、Ｈ３（Ｈ３は片流れ屋根ユニット２２の妻壁２２Ｃの高さ）を輸送制限巾寸法Ｋの範囲内にしている。尚、軒側居室ユニット１２の妻方向に沿うユニット巾Ｗ２は中央居室ユニット１１のユニット巾Ｗ１と同じにし、片流れ屋根ユニット２２の妻方向で庇２２Ｅを含むユニット巾Ｗ３は輸送制限巾寸法Ｋより大きくなっている。
【００２４】
また、中央居室ユニット１１における軒側居室ユニット１２の妻壁１２Ｃと同一面上に位置する妻壁１１Ｅ内で、軒側居室ユニット１２の妻壁高さ（ユニット高さＨ２）と同一高さレベルには、水平力抵抗材１１Ｆが設けられる。水平力抵抗材１１Ｆは、相対する柱１１Ｂに直交する横枠材により構成される。
【００２５】
また、中央居室ユニット１１と軒側居室ユニット１２の間にはスペーサ２３が介装され、このスペーサ２３を貫通して釘を打つことで中央居室ユニット１１と軒側居室ユニット１２を接合する。
【００２６】
本実施例によれば以下の作用効果を奏する。
(a)中央居室ユニット１１の側傍に形成される片流れ屋根付きの軒側居室Ｌ２を、中央居室ユニット１１の側傍下部に配置される高さの低い立面視略四角形の軒側居室ユニット１２と、中央居室ユニット１１の側傍上部及び軒側居室ユニット１２の上に配置される立面視略三角形で庇２２Ｅを有する片流れ屋根ユニット２２により構成する。従って、立面視五角形の如くの変則的なユニットが不要になり、生産性を向上できる。
【００２７】
(b)片流れ屋根ユニット２２が上述(a)の如くに庇２２Ｅを一体に備えるものとすることができるから、生産面、輸送面、構造面、防水面で有利になる。
【００２８】
(c)片流れ屋根ユニット２２のユニット高さＨ３を輸送制限巾寸法Ｋの範囲内にしたから、片流れ屋根ユニット２２の庇２２Ｅを含むユニット巾Ｗ３が輸送制限巾寸法Ｋを超えるときにも、片流れ屋根ユニット２２の天井面に直交する立上り面に沿うユニット高さＨ３を低くし、この片流れ屋根ユニット２２の天井面に直交する立上り面をトラックの荷台に据え置いて輸送できる。
【００２９】
(d)中央居室ユニット１１における軒側居室ユニット１２の妻壁１２Ｃと同一面上に位置する妻壁１１Ｅ内で、該軒側居室ユニット１２の妻壁高さと同一高さレベルに水平力抵抗材１１Ｆを設けた。従って、軒側居室ユニット１２及び片流れ屋根ユニット２２の境界部から中央居室ユニット１１へ作用する水平荷重を、この水平力抵抗材１１Ｆの軸力で支えることができる。
【００３０】
図５は本発明の変形例に係るユニット建物１Ａである。ユニット建物１Ａが前述のユニット建物１と異なる点は、ユニット建物１Ａの平面視で妻方向に各４個のユニット１０、２０を配置したことにある。ユニット建物１Ａは、２階部分の中央に２個の中央居室ユニット１１、１１を配置し、各中央居室ユニット１１の上部に片流れ屋根ユニット３１、３１を配置してある。ユニット建物１Ａにおいて、中央居室ユニット１１と軒側居室ユニット１２と片流れ屋根ユニット２２の構成はユニット建物１におけると同様である。
【００３１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３２】
【図１】図１はユニット建物の妻側面を示す正面図である。
【図２】図２はユニット建物のユニット分割を示す模式斜視図である。
【図３】図３は軒側居室ユニットと片流れ屋根ユニットの要部を示し、（Ａ）は図１のIIIＡ部を示す正面図、（Ｂ）は図１のIIIＢ部を示す正面図、（Ｃ）は（Ｂ）の側面図である。
【図４】図４は中央居室ユニットと軒側居室ユニットと片流れ屋根ユニットの要部を示し、（Ａ）は図１のIVＡ部を示す正面図、（Ｂ）は（Ａ）の平面図である。
【図５】図５はユニット建物の変形例を示す模式正面図である。
【符号の説明】
【００３３】
１、１Ａ  ユニット建物
１１  中央居室ユニット
１１Ｅ、１２Ｃ  妻壁
１１Ｆ  水平力抵抗材
１２  軒側居室ユニット
２２  片流れ屋根ユニット
２２Ｅ  庇
Ｈ１、Ｈ２、Ｈ３  ユニット高さ
Ｋ  輸送制限巾寸法
【図１】
0005022310.tif 000002
【図２】
0005022310.tif 000003
【図３】
0005022310.tif 000004
【図４】
0005022310.tif 000005
【図５】
0005022310.tif 000006